(57)【要約】      （修正有）【課題】同一のスクリーンセーバープログラムをもっているユーザにリアルタイムに同報で情報提供を行うこと。【解決手段】スクリーンセーバーとして機能するプログラムを、制御プログラムを含むメインプログラムと、そこに後から組み込まれるサブプログラムとに分離させ、これらを予め対にしたサブセットとしての関係をもたせる。ユーザが使用するスクリーンセーバー上に表示する情報は、自動的にメインプログラムとサーバとの通信により最新の情報が表示されるようになっており、広告あるいはプレゼント情報などユーザに有益な情報の提供をリアルタイムに運営側が行えるようになっている。【選択図】図２
2005276142.tif 000002
【特許請求の範囲】
【請求項１】
コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給方法。
【請求項２】
コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給システム。
【請求項３】
コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給プログラム。
【請求項４】
ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項１に記載の情報供給方法。
【請求項５】
前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項１に記載の情報供給方法。
【請求項６】
ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項２に記載の情報供給システム。
【請求項７】
前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項２に記載の情報供給システム。
【請求項８】
ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項３に記載の情報供給プログラム。
【請求項９】
前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項３に記載の情報供給プログラム。
【発明の詳細な説明】
【発明の詳細な説明】
【技術分野】
【０００１】本発明は、ユーザがコンピュータを使用していない時に画面上に現れるスクリーンセーバーと呼ばれるものを利用し、そこにリアルタイムで広告など様々な情報を表示させる技術に関するものである。
【背景技術】
【０００２】広告手法として、従来からテレビ、ラジオ、新聞、雑誌の４大マスメディアや屋外広告、交通広告など様々な形態がある一方、インターネット上ではバナー広告やメール広告がある程度で、最近ではその効果も様々な理由により低下してきている。インターネットを利用した効果の高い広告手法が望まれているが有効な技術が出現していないため、インターネット広告市場規模は伸び悩んでいる状況である。従来のスクリーンセーバーに広告を含む様々な情報を配信する技術は、主にプッシュ型と呼ばれ、ポイントキャストやリーリングシステム、フロントカバーシステムなどいくつかあるが、いずれも広告主とユーザー以外の第三者の広告配信代行事業体が管理運営を行っている。また、これら従来のシステムは、ユーザが個人情報の登録を行い、ユーザーの趣味嗜好を入力させ、ユーザー固有のＩＤとパスワードを発行している。登録された個人情報をもとに、配信情報を保存したデータベースから、各ユーザ向けに個別の情報を配信するのが特徴である。これらのシステムの稼働には個人情報を必須としているが、昨今の漏洩事件や個人情報保護法の制定などもあり、ユーザが登録を避ける傾向や、運営側の個人情報管理体制にあてるコストの増大によって、費用対効果が下降している。また、従来の技術はユーザを特定する必要があるため、スクリーンセーバープログラムをコピーして使うことはできないことが普及の足枷となっている。このような従来の技術は、個人向けの情報配信が目的となっており、消費者の購買意欲を喚起させる広告としての役割を担うことができないシステムになっている。特許公開２００２−１６３５５６「スクリーンセーバーを用いた広告配信システム」においては、本発明と異なり、配信される情報をスクリーンセーバー形式に変換したものに限定されている。また、先の発明では配信されるスクリーンセーバー形式のデータを常に受信するため不要なトラフィックを増大させてしまうと同時に、その多数のデータをユーザのコンピュータに保存しておく仕組みになっているため、ハードディスク容量を要してしまうのが欠点である。さらに先の発明では、広告情報の表示回数および利用回数を管理することができないため、広告の効果を測ることが出来ない。特許公開２００２−３２５９０「情報個別管理システム」においては、本発明と異なり、ユーザ登録が必要であり登録された個人情報に基づく個別情報の管理を行うため、情報漏洩の危険性があり多大なシステム管理費用が発生してしまう。
【発明が解決しようとする課題】
【０００３】本発明は、メールマガジンによる広告や、従来のスクリーンセーバーを利用した情報配信技術が運営者側でメールアドレス含むユーザの個人情報を管理する必要があり、そのための過大な専用システムの構築、情報セキュリティのための運営体制、情報漏洩を考慮したリスク管理など多大なコストをかけているにも関わらず、顧客情報流出事件が頻発していることを課題と考え、ユーザが求める適切な情報を個人情報の取得をせずにユーザに供給するシステムを実現するためのものである。また、従来の技術ではあくまで各ユーザーに向けての個別情報の配信が主な目的であり、スクリーンセーバーを広告枠として考えていなかった。加えて、スクリーンセーバープログラムをコピーして使えないため、国内だけでも６０００万台あるコンピュータの画面が活かされていない。
本発明は、ユーザーの使用しているコンピュータ画面を広告板として活用できるようにしながら、さらにユーザにキャンペーン情報などをリアルタイムで送信することを実現するためのものである。
【課題を解決するための手段】
【０００４】本発明は、従来の技術の欠点を解決するために考案されたもので、コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給方法である。
【０００５】また、コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給システムである。
【０００６】また、コンピュータシステムを用いた情報供給方法において、コンテンツデータおよび制御プログラムおよび第２のプログラムのアドレス情報を含みユーザの有する情報機器端末に組み込まれる第１のプログラムと別のコンテンツデータおよび別のコンテンツのアドレス情報を含み第１のプログラムに読み込まれる第２のプログラムの双方をサブセットとして格納する手段と、複数の前記サブセットの中からユーザが任意のサブセットを選択できる手段と、前記ユーザが選択した前記サブセットにある前記第１のプログラムを前記ユーザに送信する手段と、前記ユーザが有する情報機器端末で稼働する前記第１のプログラムが前記第２のプログラムの送信要求を前記サブセット格納機器に送信する手段と、前記ユーザが有する前記第１のプログラムを含んだサブセットを構成している前記第２のプログラムを前記サブセット格納機器が前記ユーザ宛に送信する手段と、前記第１のプログラム内および前記第２のプログラム内のコンテンツデータを前記ユーザの有する情報機器端末が予め定めた期間不作動であった場合に前記情報機器端末画面に表示させる手段とを有することを特徴とする情報供給プログラムである。
【０００７】ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項１に記載の情報供給方法である。
【０００８】前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項１に記載の情報供給方法である。
【０００９】ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項２に記載の情報供給システムである。
【００１０】前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項２に記載の情報供給システムである。
【００１１】ユーザが取得した前記第１のプログラムが複製され、別のユーザが有する情報機器端末において稼働した場合において、複製された第１のプログラムが複製元の第１のプログラムとサブセットを構成する第２のプログラムの送信要求を前記サブセット格納機器に送信する手段を有する請求項３に記載の情報供給プログラムである。
【００１２】前記第１のプログラムあるいは前記第２のプログラムがユーザの有する前記情報機器端末画面に表示される回数情報を情報格納機器に送信する手段と、前記第１のプログラムあるいは前記第２のプログラムをユーザが操作した回数情報を前記情報格納機器に送信する手段と、前記表示回数情報と前記操作回数情報を前記情報格納機器に格納する手段を有する請求項３に記載の情報供給プログラムである。
【００１３】本発明は、従来の課題を解決するために考案されたもので、制御プログラムを含むメインプログラムと、そこに後から組み込まれるサブプログラムとに分離させ、これらを予め対にしたサブセットとしての関係をもたせることが特徴である。ユーザの使用するコンピュータで稼働するメインプログラムは、あらかじめユーザーが自らの趣味嗜好に合わせて選択し入手するようになっており、一切個人情報や信用情報を本発明により構築した運営システム側で取得しないようになっている。また、ユーザが使用するスクリーンセーバー上に表示する情報は、自動的にメインプログラムとサーバとの通信により最新の情報が表示されるようになっており、広告あるいはプレゼント情報などユーザに有益な情報の提供をリアルタイムに運営側が行えるようになっている。さらに、本発明によって提供されるメインプログラムはユーザ間で自由に複製をすることができることも特徴である。
【発明を実施するための最良の形態】
【００１４】以下、本発明の実施の形態について、図面を参照して詳細に説明する。
この実施形態では、本発明が実施される情報として広告を例として説明する。しかし、本発明はこれに限定されるものではなく、様々なデジタルコンテンツの供給について適用することができる。【００１５】図５にユーザに必要な手順とコンテンツ表示についてのフローチャートを示す。基本的なフローは、ユーザが情報格納サーバにブラウザなどの手段によってアクセスし、そこに表示される複数のサブセットのなかから好みのサブセットを選択する。次に、選択したサブセットに含まれるメインプログラムをダウンロードし、ユーザの持つコンピュータにインストールし稼働させる。
ユーザのコンピュータが予めユーザが設定した期間動作しない場合は、メインプログラムが起動し、メインプログラムに含まれているコンテンツをユーザのコンピュータに接続されたディスプレイに表示させる。メインプログラムは、情報格納サーバと通信を行い、正常に通信できた場合はユーザのインストールしたメインプログラムとサブセットを構成しているサブプログラムを情報格納サーバから自動的に受信し、これに含まれているコンテンツをユーザのディスプレイに表示させる。この時、なんらかの理由により情報格納サーバとの通信が確立しなかった場合には、引き続きメインプログラム内のコンテンツが表示されるようになっている。【００１６】図１は、基本的なシステムを説明している。コンピュータＡ１ａおよびディスプレイＡ２ａを使用しているユーザが、通信ネットワーク１を介して情報格納サーバ４にアクセスする。本実施形態においては、通信ネットワーク１はインターネット、ＬＡＮ、ＷＡＮ、専用線などの種別は問わないし、有線、無線などのアクセスの形態についても限定しない。アクセスの方法は、通常ブラウザやコンピュータに組み込まれたアクセス用プログラムなど一般的な方法で構わない。【００１７】情報格納サーバ４には、プログラムサブセットとこれに対応した回数情報格納部があり、これらが複数個予め格納されている。ユーザは、この情報格納サーバ４にアクセスし、表示される各サブセットについての情報を閲覧した上で、任意のサブセットを選択することができる。選択の手段は、一覧表から選ぶ、いくつかの質問に答えることで適切なサブセットだけが表示される、ステップに分けて絞り込んでいくなど様々な手段があり、どの手段であっても最終的にはユーザは一回につき一つのサブセットを選択する。【００１８】なお、本実施形態においては、唯一のサブセットしか用意されていない場合でも情報供給が可能であることは言うまでもない。【００１９】図１のプログラムサブセット２１はメインプログラム２２とサブプログラム２３から構成されており、他のサブセットもプログラムサブセット３１内にメインプログラム３２とサブプログラム３３があるように、同一の構成で成り立っている。回数情報格納部はそれぞれのサブセットについて用意されており、プログラムサブセット２１には回数情報格納部２４が、プログラムサブセット３１には回数情報格納部３４が対応している。【００２０】次に、メインプログラムおよびサブプログラムの詳細について図３を用いて説明する。メインプログラム２２は、制御プログラム２２１とコンテンツデータ２２２とアドレス情報２２３を含んでいる。制御プログラム２２１はユーザの使用するコンピュータが不作動の時間を検出し、一定時間不作動の場合にコンテンツデータ２２２をスクリーンセーバーとして表示させる機能を有している。アドレス情報２２３は、制御プログラム２２１がアクセスすべき情報格納サーバ内のサブセットに含まれるサブプログラム２３へのパスを指示しているものである。このアドレス情報はサブセット特有なものであり、たとえば図３のプログラムサブセット３１を構成するメインプログラム３２に含まれるアドレス情報は、プログラムサブセット３１内のサブプログラム３３を指し示すものとして、予め書き込まれている。【００２１】プログラムサブセット２１を構成するサブプログラム２３には、コンテンツデータ２３１とアドレス情報２３２が含まれている。コンテンツデータ２３１は、メインプログラム２２に含まれるコンテンツデータ２２２と同様に、ユーザのコンピュータディスプレイに表示されるものである。アドレス情報２３２は、スクリーンセーバーとして表示されたリンクに対してユーザがクリックをした際にアクセスする別のデータへのパスを示している。【００２２】このように、本発明においては、制御プログラムを含みユーザのコンピュータ上で一度インストールすると稼働するメインプログラムと、後にメインプログラムに通信を通じて読み込まれるサブプログラムとに分離し、これらをサブセットとして対を成すようなアドレス情報をメインプログラムに持たせているのが特徴である。【００２３】なお、本発明は、サブセットを成すメインプログラムに含まれるアドレス情報が複数あり、アドレス情報のそれぞれがサブセット内の複数のサブプログラムを一義的に指定している場合にも応用できるものである。同時に、本実施形態において、サブセットを成すメインプログラムに含まれるアドレス情報が複数あり、ユーザがこれらのアドレス情報のうちどれを利用するかを選択させるようにしてもよい。【００２４】次に、図２を用いて本発明によるより詳しい実施例を説明する。
ユーザは、情報格納サーバ４にアクセスして、複数あるプログラムサブセットの中からプログラムサブセット２１を選択した場合、メインプログラム２２をダウンロードする。ユーザはダウンロードしたメインプログラム２２を、コンピュータＡ１ａにインストールし、稼働可能な状態を設定する。なお、本実施形態においては、メインプログラム２２をダウンロードする以外に、ＣＤ−ＲＯＭなどの電子的記録媒体として入手できるようにしてもよい。【００２５】コンピュータＡ１ａに保存されたメインプログラム５は、制御プログラム５１とコンテンツデータ５２とアドレス情報５３を有している。制御プログラム５１は、ユーザの使用するコンピュータが不作動の時間を検出し、一定時間不作動の場合に自動的にコンテンツデータ５２をコンピュータＡ１ａに接続されたディスプレイＡ２ａ上にコンテンツ１８１として表示させる。なお、本発明においては、ユーザが任意にコンテンツデータ５２をコンピュータＡ１ａに接続されたディスプレイＡ２ａ上にコンテンツ１８１として表示させてもよい。【００２６】制御プログラム５１は、予め定められた周期で情報格納サーバ４と通信を行い、アドレス情報５３で指示されたサブプログラム２３を受信する。受信したサブプログラムは、コンピュータＡ１ａ上でメインプログラム５の一部として取り込まれ、コンテンツデータ７１とアドレス情報７２も制御プログラム５１によって動作を管理される。制御プログラム５１が、予め定められた周期で情報格納サーバ４と通信を行い、アドレス情報５３で指示されたサブプログラム２３を受信するため、情報格納サーバ４のプログラムサブセット２１に含まれるサブプログラム２３が書き変わっていた場合には、自動的にサブプログラム２３を再度メインプログラム５に取り込み、古いサブプログラムと置き換える。これによって、情報格納サーバ４にあるサブプログラム２３を運営側が書き換えるだけで、これと対をなすメインプログラム２２をダウンロードし使用するコンピュータで稼働させているユーザすべてに同報で新しい情報を自動的に提供することが可能になったのである。【００２７】制御プログラム５１は、コンピュータＡ１ａにあるメインプログラム５に含まれるコンテンツデータ５２とサブプログラム７に含まれるコンテンツデータ７２を、ディスプレイＡ２ａ上にコンテンツ１８１およびコンテンツ２８２として表示させる。この時、コンテンツ１８１およびコンテンツ２８２の表示の仕方として、コンテンツ１８１にコンテンツ２８２が挿入される場合、コンテンツ２８２のみが表示される場合、コンテンツ１８１のみが表示される場合、コンテンツ２８２にコンテンツ１８１が挿入される場合など、様々な実施形態が可能である。【００２８】サブプログラム７に含まれるアドレス情報７１は、コンテンツ２８２内でユーザがクリックした際に新たに情報格納サーバ４にある別のコンテンツを受信するパスの指定を行うものである。なお、本実施形態においては、サブセットを成すメインプログラム２２とサブプログラム２３が、かならずしも同一の情報格納サーバではなく、別々のサーバに格納されている場合にも応用できるものである。さらに、本実施形態においては、アドレス情報７２が情報格納サーバ４以外のサーバに格納されたコンテンツを指し示していても実行可能なようにしてもよい。【００２９】プログラムサブセット２１に付随した回数情報格納部２４には、コンピュータＡ１ａにあるメインプログラム５によって送信要求を受け送信したサブプログラム２３の送信回数をカウントし、その回数情報を保存しておくようになっている。さらに、回数情報格納部２４には、コンピュータＡ１ａにあるサブプログラム７に含まれるアドレス情報７２に対し送信要求をした回数、およびコンテンツ１８１とコンテンツ２８２の表示回数を格納しておく。これによって、プログラムサブセット２１の利用回数を管理することができる。なお、本実施形態においては、回数情報格納部はプログラムサブセットが格納されているサーバとは別のサーバにあってもよい。【００３０】図４では、メインプログラム５がユーザによって複製され、メインプログラム６として別のコンピュータＢ１ｂにおいて稼働させた場合の動作を説明している。コンピュータＢ１ｂ上のメインプログラム６に含まれる制御プログラム６１、コンテンツデータ６２、アドレス情報６３は元々情報格納サーバ４にあったメインプログラム２２内のものとそれぞれ同一であり、制御プログラム６１はアドレス情報６３の指示の通りに、サブプログラム２３を受信するようになっている。このように、本発明においてはメインプログラムが複製され、ネットワーク経由あるいは記録媒体などにより流布した場合においても、そのメインプログラムとサブセットを構成するサブプログラムにアクセスするようになっている。
以上、本発明の好適な実施の形態について説明したが、具体的な構成例、フローチャート、画面例等は、発明の理解を容易にするためのものであり、本発明の範囲を制限する意図のものではない。
【発明の効果】
【００３１】以上説明したように、本発明によれば、同一のスクリーンセーバーをもっているユーザにリアルタイムに同報で情報提供を行うことができる。また、一切の個人情報を取らずにユーザの趣味嗜好に合わせた情報をリアルタイムで送信できるため、情報セキュリティ関連のトラブルが発生しない。さらに、スクリーンセーバーとして広告が表示されることで、ユーザ以外の第三者にも広告が到達するため、大きな広告効果が期待できる。
【図面の簡単な説明】
【図１】本発明の概略構成例を示すブロック図である。
【図２】本発明の実施の形態におけるユーザとサーバ間のデータの送受信の手順を示す図である。
【図３】本発明のプログラムサブセットの詳細説明図である。
【図４】本発明の実施の形態における複製プログラムの動作の説明図である。
【図５】本発明の利用手順を示すフローチャートである。
【符号の説明】
１は通信ネットワーク  １ａはコンピュータＡ  ２ａはディスプレイＡ  １ｂはコンピュータＢ  ２ｂはディスプレイＢ  ２１はプログラムサブセット  ２２はメインプログラム  ２２１は制御プログラム  ２２２はコンテンツデータ  ２２３はアドレス情報  ２３はサブプログラム  ２３１はコンテンツデータ  ２３２はアドレス情報  ２４は回数情報格納部  ３１はプログラムサブセット  ３２はメインプログラム  ３３はサブプログラム  ３４は回数情報格納部  ４は情報格納サーバ  ５はメインプログラム  ５１は制御プログラム  ５２はコンテンツデータ  ５３はアドレス情報  ６はメインプログラム  ６１は制御プログラム  ６２はコンテンツデータ  ６３はアドレス情報  ７はサブプログラム  ７１はコンテンツデータ  ７２はアドレス情報  ８１はコンテンツ１  ８２はコンテンツ２
【図１】
2005276142.tif 000003
【図２】
2005276142.tif 000004
【図３】
2005276142.tif 000005
【図４】
2005276142.tif 000006
【図５】
2005276142.tif 000007